(57)【要約】【課題】付加価値を高める上で有利な撮影システムおよびインターフェースボックスを提供する。【解決手段】撮影システムは、本体部１４と記録再生部１６とインターフェースボックス６０とを含んで構成される。本体部１４に、本体部側コネクタ３０Ａ、３０Ｂを備える第１、第２取り付け部２６、２８が設けられている。記録再生部１６に、第１、第２取り付け部２６、２８の双方に取り付け可能な記録再生部側取り付け部１６Ｂと、本体部側コネクタ３０Ａ、３０Ｂに着脱可能な記録再生部側コネクタ３２Ａ、３２Ｂが設けられている。インターフェースボックス６０に、第１、第２取り付け部２６、２８の双方に取り付け可能なインターフェースボックス側取り付け部６４と、本体部側コネクタ３０Ａ、３０Ｂに着脱可能なインターフェースボックス側コネクタ６６Ａ、６６Ｂが設けられている。【選択図】図１
2008124871.tif 000002
【特許請求の範囲】
【請求項１】
撮影を行い映像データを生成する本体部と、前記映像データを記録再生する記録再生部と、前記本体部と外部機器との間で信号および／または電源の授受を行うインターフェースボックスとを備え、
前記本体部は、
向きの異なる複数の外面を有する第１筐体を備え、
前記第１筐体の異なる２つの外面にそれぞれ本体部側コネクタを備える第１取り付け部と第２取り付け部が設けられ、
前記記録再生部は、
外装を構成する第２筐体を備え、
前記第２筐体に、前記第１、第２取り付け部の双方に取り付け可能な記録再生部側取り付け部が設けられ、
前記記録再生部側取り付け部に、前記本体部側コネクタに接続可能な記録再生部側コネクタが設けられ、
前記インターフェースボックスは、
外装を構成する第３筐体を備え、
前記第３筐体に、前記第１、第２取り付け部の双方に取り付け可能なインターフェースボックス側取り付け部が設けられ、
前記インターフェースボックス側取り付け部に、前記本体部側コネクタに接続可能なインターフェースボックス側コネクタが設けられている、
ことを特徴とする撮影システム。
【請求項２】
前記インターフェースボックスは、前記外部機器に接続される外部機器接続用コネクタを有し、
前記本体部と前記外部機器との間での信号および／または電源の授受は、前記本体部側コネクタおよび前記インターフェースボックス側コネクタ並びに前記外部機器接続用コネクタを介してなされる、
ことを特徴とする請求項１記載の撮影システム。
【請求項３】
前記第２筐体に、前記信号処理部から供給される前記記録用の映像データを記録媒体に対して記録し、前記記録媒体から前記映像データを再生する記録再生機構と、前記記録再生機構の制御を行う制御部が設けられ、
前記第３筐体に、前記本体部と外部機器との間で信号の授受を行うインターフェース部が設けられ、
前記インターフェース部によって前記本体部と前記外部機器との間で授受される信号は、前記外部機器から供給される音声データを含み、
前記制御部は、前記インターフェース部を介して前記外部機器から供給される音声データを前記記録再生機構によって前記記録媒体に記録させる、
ことを特徴とする請求項１記載の撮影システム。
【請求項４】
前記第２筐体に、前記信号処理部から供給される前記記録用の映像データを記録媒体に対して記録し、前記記録媒体から前記映像データを再生する記録再生機構と、前記記録再生機構の制御を行う制御部が設けられ、
前記第３筐体に、前記本体部と外部機器との間で信号の授受を行うインターフェース部が設けられ、
前記インターフェース部によって前記本体部と前記外部機器との間で授受される信号は、前記記録再生機構によって前記記録媒体から再生された前記映像データを含み、
前記制御部は、前記記録再生機構によって前記記録媒体から再生された前記映像データを前記インターフェース部を介して前記外部機器に供給させる、
ことを特徴とする請求項１記載の撮影システム。
【請求項５】
前記第１筐体に、記録用の映像データを生成する信号処理部が設けられ、
前記第２筐体に、前記信号処理部から供給される前記記録用の映像データを記録媒体に対して記録し、前記記録媒体から前記映像データを再生する記録再生機構と、被写体像を撮像する撮像素子と、前記信号処理部の制御を行う制御部とが設けられ、
前記第３筐体に、前記本体部と外部機器との間で信号の授受を行うインターフェース部が設けられ、
前記信号処理部は、前記撮像素子から供給される映像信号に前処理を行って映像データを生成し、前記前処理がなされた映像データをエンコードすることで前記記録用の映像データを生成し、
前記インターフェース部によって前記本体部と前記外部機器との間で授受される信号は、前記信号処理部によって前記前処理がなされた映像データを含み、
前記制御部は、前記前処理がなされた映像データを前記インターフェース部を介して前記外部機器に供給する、
ことを特徴とする請求項１記載の撮影システム。
【請求項６】
前記第１筐体に、撮影光学系を収容するレンズ鏡筒が取着されるとともに、前記撮影光学系によって導かれた被写体像を撮像して映像信号を生成する撮像素子と、前記映像信号から記録用の映像データを生成する信号処理部が設けられ、
前記第２筐体に、前記信号処理部から供給される前記記録用の映像データを記録媒体に対して記録し、前記記録媒体から前記映像データを再生する記録再生機構が設けられている、
ことを特徴とする請求項１記載の撮影システム。
【請求項７】
前記第１筐体に、記録用の映像データを生成する信号処理部が設けられ、
前記第２筐体に、前記信号処理部から供給される前記記録用の映像データを記録媒体に対して記録し、前記記録媒体から前記映像データを再生する記録再生機構と、前記記録再生機構および前記信号処理部の制御を行う制御部とが設けられ、
前記第３筐体に、前記本体部と外部機器との間で信号の授受を行うインターフェース部が設けられ、
前記インターフェース部によって前記本体部と前記外部機器との間で授受される信号は、前記インターフェース部を介して前記制御部と前記外部機器との間で授受される信号であり、
前記外部機器はリモートコントロール装置であり、
前記制御部は、前記リモートコントロール装置から供給される制御信号に基づいて、前記記録再生機構および前記信号処理部の制御を行う、
ことを特徴とする請求項１記載の撮影システム。
【請求項８】
前記第１筐体に、記録用の映像データを生成する信号処理部が設けられ、
前記第２筐体に、前記信号処理部から供給される前記記録用の映像データを記録媒体に対して記録し、前記記録媒体から前記映像データを再生する記録再生機構と、前記記録再生機構および前記信号処理部の制御を行う制御部とが設けられ、
前記第３筐体に、前記本体部と外部機器との間で信号の授受を行うインターフェース部と、前記インターフェース部に接続された操作スイッチが設けられ、
前記制御部は、前記インターフェース部を介して検出した前記操作スイッチの操作に応じて前記記録再生機構および前記信号処理部の制御を行う、
ことを特徴とする請求項１記載の撮影システム。
【請求項９】
前記第１筐体に、記録用の映像データを生成する信号処理部が設けられ、
前記第２筐体に、前記信号処理部から供給される前記記録用の映像データを記録媒体に対して記録し、前記記録媒体から前記映像データを再生する記録再生機構と、前記記録再生機構および前記信号処理部の制御を行う制御部とが設けられ、
前記第３筐体に、前記本体部と外部機器との間で信号の授受を行うインターフェース部と、前記インターフェース部に接続された表示部が設けられ、
前記制御部は、前記記録再生機構および前記信号処理部の動作に応じて前記インターフェース部を介して前記表示部の表示動作の制御を行う、
ことを特徴とする請求項１記載の撮影システム。
【請求項１０】
前記第３筐体に、外部電源装置に接続可能な外部電源入力コネクタが設けられ、
前記外部電源装置から供給される電源が前記外部電源入力コネクタと前記インターフェースボックス側コネクタと前記本体部側コネクタとを介して前記本体部に供給される、
ことを特徴とする請求項１記載の撮影システム。
【請求項１１】
前記第３筐体に、バッテリーが装脱可能なバッテリー取り付け部と、前記バッテリーに接続されるバッテリー接続コネクタとが設けられ、
前記バッテリー取り付け部に装着された前記バッテリーから供給される電源が前記バッテリー接続コネクタと前記インターフェースボックス側コネクタと前記本体部側コネクタとを介して前記本体部に供給される、
ことを特徴とする請求項１記載の撮影システム。
【請求項１２】
外装を構成する第３筐体を備え、
前記第３筐体に、撮像装置と外部機器との間で信号および／または電源の授受を行うインターフェース部が設けられ、
前記第３筐体に、前記撮像装置の筐体に設けられた第１、第２取り付け部の双方に取り付け可能なインターフェースボックス側取り付け部が設けられ、
前記インターフェースボックス側取り付け部に、前記第１、第２取り付け部の双方に設けられた本体部側コネクタに接続可能なインターフェースボックス側コネクタが設けられている、
ことを特徴とするインターフェースボックス。
【発明の詳細な説明】
【技術分野】
【０００１】
本発明は撮影システムおよびインターフェースボックスに関する。
【背景技術】
【０００２】
従来から映画の撮影を行う撮像装置としては、撮影光学系を収容するレンズ鏡筒と、前記レンズ鏡筒が装着される本体と、フィルムを収納し前記本体に装脱可能に装着されるフィルムカートリッジとを備えるフィルムカメラが使用されている（特許文献１参照）。
そして、本体では、フィルムカートリッジから引き出されて走行されるフィルムに前記撮影光学系によって導かれた被写体像が結像されフィルムが露光されている。
また、このようなフィルムカメラでは、フィルムカートリッジを本体の上部あるいは本体の後部の双方に取り付け可能に構成されており、撮影アングルに応じて、あるいは、三脚やカメラ移動用台車などの撮影補助装置へのフィルムカメラの取り付けが行いやすいように、フィルムカートリッジの装着箇所を切り換えてフィルムカメラを使用している。
近年、記録媒体として磁気テープや光ディスク、ハードディスクなどを用いたビデオカメラを映画の撮影に用いることが要求されてきている。
ところが、テレビ局などで用いられる多くのビデオカメラは、従来のフィルムカメラに比較して前後方向の寸法が長い外形となっている（特許文献２参照）。
そこで、ビデオカメラを、レンズ鏡筒によって導かれる被写体像を撮像して記録用の映像データを生成する本体部と、前記記録用の映像データを記録媒体に記録する記録再生部とを分離するとともに、記録再生部を本体部の筐体の上部および後部の双方に選択的に取り付け可能に構成することが考えられる。
この場合、記録再生部と本体部との間で信号を授受するために、本体部の筐体の上部および後部にそれぞれ本体部側コネクタを設け、記録再生部の筐体に前記本体部側コネクタに接続する記録再生部側コネクタを設けることが必要となる。
【特許文献１】特表平１０−５０７８５１
【特許文献２】特開平５−７５９０４
【発明の開示】
【発明が解決しようとする課題】
【０００３】
しかしながら、このような構成においては、２つの本体部側コネクタのうち一方の本体部側コネクタに記録再生部側コネクタが接続されると、２つの本体部側コネクタのうち他方の本体部側コネクタが外部に露出した状態となることから、その露出された本体部側コネクタに塵埃が付着するなどの不都合が生じることが懸念される。
このような不都合を防止するために、記録再生部が接続されていない本体部側コネクタをカバーで覆って保護することが考えられる。
しかしながら、記録再生部が接続されていない本体部側コネクタをカバーで覆うだけでは、本体部側コネクタの機能を十分に活用しているとはいえない。
本発明は前記事情に鑑み案出されたものであって、本発明の目的は、記録再生部が接続されていない本体部側コネクタの機能を活用することができ付加価値を高める上で有利な撮影システムおよびインターフェースボックスを提供することにある。
【課題を解決するための手段】
【０００４】
上述の目的を達成するため、本発明の撮影システムは、撮影を行い映像データを生成する本体部と、前記映像データを記録再生する記録再生部と、前記本体部と外部機器との間で信号および／または電源の授受を行うインターフェースボックスとを備え、前記本体部は、向きの異なる複数の外面を有する第１筐体を備え、前記第１筐体の異なる２つの外面にそれぞれ本体部側コネクタを備える第１取り付け部と第２取り付け部が設けられ、前記記録再生部は、外装を構成する第２筐体を備え、前記第２筐体に、前記第１、第２取り付け部の双方に取り付け可能な記録再生部側取り付け部が設けられ、前記記録再生部側取り付け部に、前記本体部側コネクタに接続可能な記録再生部側コネクタが設けられ、前記インターフェースボックスは、外装を構成する第３筐体を備え、前記第３筐体に、前記第１、第２取り付け部の双方に取り付け可能なインターフェースボックス側取り付け部が設けられ、前記インターフェースボックス側取り付け部に、前記本体部側コネクタに接続可能なインターフェースボックス側コネクタが設けられていることを特徴とする。
また本発明のインターフェースボックスは、外装を構成する第３筐体を備え、前記第３筐体に、撮像装置と外部機器との間で信号および／または電源の授受を行うインターフェース部が設けられ、前記第３筐体に、前記撮像装置の筐体に設けられた第１、第２取り付け部の双方に取り付け可能なインターフェースボックス側取り付け部が設けられ、前記インターフェースボックス側取り付け部に、前記第１、第２取り付け部の双方に設けられた本体部側コネクタに接続可能なインターフェースボックス側コネクタが設けられていることを特徴とする。
【発明の効果】
【０００５】
本発明では、本体部の第１、第２の取り付け部の一方に記録再生部を取り付けるとともに、第１、第２の取り付け部の他方にインターフェースボックスを取り付けて使用する。これにより、カバーを設けることなく本体側コネクタへの塵埃の付着を防止することができる。
また、インターフェースボックスにより本体部と外部機器との間で信号および／または電源の授受を行うことができ、記録再生部が接続されていない本体部側コネクタの機能を活用して撮影システムの付加価値を高める上で有利となる。
【発明を実施するための最良の形態】
【０００６】
（第１の実施の形態）
次に本発明の実施の形態について図面を参照して説明する。
図１は本実施の形態の撮影システムにおける撮像装置１０の右側面図、図２は撮像装置１０の左側面図、図３は撮像装置１０の本体部１４の左側面図、図４は図３のＡ矢視図、図５は図３のＢ矢視図、図６は図３のＣ矢視図である。
図６は撮影システムの構成を示すブロック図である。
【０００７】
本実施の形態の撮影システムは、図６に示すように、撮像装置１０と、インターフェースボックス６０とを含んで構成されている。
本実施の形態において、撮像装置１０は映画撮影用のビデオカメラである。
図１、図２に示すように、撮像装置１０は、レンズ鏡筒１２と、本体部１４と、記録再生部１６とを備えている。
なお、本明細書において左右は、撮像装置１０を前方から見た状態でいうものとし、また、光学系の光軸方向で被写体側を前方といい、撮像素子側を後方という。
レンズ鏡筒１２は、図１０に示すように、撮影光学系１８を収容するものである。
撮影光学系１８は、被写体像を図１０に示す撮像素子２０に導くものである。なお、撮像素子２０は、ＣＣＤ、あるいは、Ｃ−ＭＯＳセンサなど従来公知のさまざまな撮像素子が採用可能である。
【０００８】
図３乃至図６に示すように、本体部１４は、外装を構成する第１筐体２２を有している。
第１筐体２２は、前方に臨む前面２２Ａ、後方に臨む後面２２Ｂ、左右側方に臨む左右の側面２２Ｃ、２２Ｄ、上方に臨む上面２２Ｅ、下方に臨む下面２２Ｆを備えている。
言い換えると、第１筐体２２は向きの異なる複数の外面を有している。
本実施の形態では、第１筐体２２は、前面２２Ａと後面２２Ｂとの間の前後方向の長さと、上面２２Ｅと後面２２Ｆとの間の上下方向の高さと、左右の側面２２Ｃ、２２Ｄの間の左右方向の幅とがほぼ同じ値となるように構成されており、したがって、第１筐体２２はほぼ立方体を呈している。
【０００９】
図５に示すように、第１筐体２２の前面２２Ａには、レンズ鏡筒１２が装脱可能に装着される取り付け座２４が設けられている。
【００１０】
図４に示すように、第１筐体２２の上面２２Ｅには、記録再生部１６が着脱される第１取り付け部２６が設けられている。
第１取り付け部２６には、２つの本体部側コネクタ３０Ａ、３０Ｂと、不図示の連結機構が設けられ、一方のコネクタ３０Ａは信号伝達用であり、他方のコネクタ３０Ｂは電源用である。
【００１１】
図６に示すように、第１筐体２２の後面２２Ｂには、記録再生部１６が着脱される第２取り付け部２８が設けられている。
第２取り付け部２８には、２つの本体部側コネクタ３０Ａ、３０Ｂと、不図示の連結機構が設けられ、一方のコネクタ３０Ａは信号伝達用であり、他方のコネクタ３０Ｂは電源用である。
すなわち、第１筐体２２の異なる２つの外面２２Ｅ、２２Ｂにそれぞれ本体部側コネクタ３０Ａ、３０Ｂを備える第１取り付け部２６と第２取り付け部２８が設けられている。
なお、図５において符号３４は空気取り入れ口を示し、図４において符号３６は空気取り入れ口を示し、図６において符号３８は空気排出口を示す。
【００１２】
記録再生部１６は、図１、図２に示すように、外装を構成する第２筐体１６Ａを有している。
第２筐体１６Ａには、第１、第２取り付け部２６、２８の双方に取り付け可能な記録再生部側取り付け部１６Ｂが設けられている。
図７に示すように、記録再生部側取り付け部１６Ｂには、本体部側コネクタ３０Ａ、３０Ｂに着脱可能な記録再生部側コネクタ３２Ａ、３２Ｂが設けられている。
前記連結機構に設けられた操作部材を操作することにより、第１取り付け部２６または第２取り付け部２８に対して記録再生部側取り付け部１６Ｂが着脱され、また、本体部側コネクタ３０Ａ、３０Ｂと記録再生部１６の記録再生部側コネクタ３２Ａ、３２Ｂとが電気的に接続され、接続が解除される。
なお、上述の連結機構には、従来公知のさまざまな構造が採用可能である。
【００１３】
記録再生部１６は、本体部１４から本体部側コネクタ３０Ａ、記録再生部側コネクタ３２Ａを介して供給される記録用の映像データを、記録媒体に記録し、また、前記記録媒体から再生した映像データを記録再生部側コネクタ３２Ａ、本体部側コネクタ３０Ａを介して本体部１４側に供給する記録再生機構を有するものである。
また、記録再生部１６は、本体部１４から本体部側コネクタ３０Ａ、記録再生部側コネクタ３２Ａを介して供給される記録用の音声データを、記録媒体に記録し、また、前記記録媒体から再生した音声データを記録再生部側コネクタ３２Ａ、本体部側コネクタ３０Ａを介して本体部１４側に供給するものである。
前記記録媒体としては、例えば、磁気記録テープ、光ディスク、あるいは、ハードディスクなどの従来公知のさまざまな記録媒体が利用可能である。
また、記録再生部１６は、本実施の形態では、本体部１４から本体部側コネクタ３０Ｂ、記録再生部側コネクタ３２Ｂを介して供給される電力によって動作する。
なお、図３に示すように、本体部１４の左側面２２Ｃの下部寄りの箇所には、前後方向に沿って外部機器接続用のコネクタ２３が複数個配置されている。
このような構成によれば、記録再生部１６を本体部１４の上面２２Ｅまたは後面２２Ｂに選択的に取り付けて使用することができ、したがって、撮像装置１０を映画撮影用のカメラとして使用する際に、従来のフィルムカメラと同様の撮影アングルを容易にとることができ、また、撮像装置１０を従来のフィルムカメラ用の撮影補助装置に取り付けることが簡単にでき、従来のフィルムカメラを使用している環境下における使い勝手の向上を図る上で有利となっている。
【００１４】
図８、図９はインターフェースボックス６０の斜視図、図１０は図８のＡ矢視図、図１１はインターフェースボックス６０の正面図、図１２は図１１のＢ矢視図、図１３は図１１のＣ矢視図、図１４は図１２のＤ矢視図である。
図７乃至図１３に示すように、インターフェースボックス６０は、外装を構成する第３筐体６２を備え、第３筐体６２には後述するインターフェース部７２（図７）が設けられている。
図８、図１０に示すように、第３筐体６２は、略長方形状の底面６２Ａと、底面６２Ａとほぼ同形の板状を呈し底面６２Ａと間隔をおいて対向する上面６２Ｂと、底面６２Ａおよび上面６２Ｂの２つの長辺を接続する長辺側の側面６２Ｃ、６２Ｄと、底面６２Ａおよび上面６２Ｂの２つの短辺を接続する短辺側の側面６２Ｅ、６２Ｆとを有している。
底面６２Ａには、第１、第２取り付け部２６、２８の双方に取り付け可能なインターフェースボックス側取り付け部６４が設けられている。
インターフェースボックス側取り付け部６４には、本体部側コネクタ３０Ａ、３０Ｂに着脱可能なインターフェースボックス側コネクタ６６Ａ、６６Ｂが設けられている。
本体部１４の第１、第２取り付け部２６、２８に設けられた前記連結機構に設けられた操作部材を操作することにより、第１取り付け部２６または第２取り付け部２８に対してインターフェースボックス側取り付け部６４が着脱され、また、本体部側コネクタ３０Ａ、３０Ｂとインターフェースボックス側コネクタ６６Ａ、６６Ｂとが電気的に接続され、接続が解除される。
すなわち、図２に示すように、本体部１４の第１取り付け部２６にインターフェースボックス６０のインターフェースボックス側取り付け部６４を装着することで、インターフェースボックス６０が本体部１４の上面２２Ｅに取り付けられる。
また、図１に示すように、本体部１４の第２取り付け部２８にインターフェースボックス６０のインターフェースボックス側取り付け部６４を装着することで、インターフェースボックス６０が本体部１４の後面２２Ｂに取り付けられる。
図８に示すように、長辺側の側面のうち一方の側面６２Ｃには、第１、第２音声信号入力コネクタ６８Ａ、６８Ｂ、第１、第２デジタル映像信号出力端子６８Ｃ、６８Ｄの４つのコネクタが設けられている。
本実施の形態では、第１、第２音声信号入力コネクタ６８Ａ、６８Ｂ、第１、第２デジタル映像信号出力端子６８Ｃ、６８Ｄによって外部機器接続用コネクタが構成されている。
また、側面６２Ｃの第１、第２音声信号入力コネクタ６８Ａ、６８Ｂの近傍箇所には、第１、第２入力信号切り替え用スイッチ７０Ａ、７０Ｂの２つのスイッチが設けられている。
【００１５】
次に、図６を参照して本体部１４およびインターフェースボックス６０の構成について詳細に説明する。
図６に示すように、本体部１４は、前記の撮像素子２０の他に、プリズム４０、信号処理部４２、Ｉ／Ｆ部４４Ａ、４４Ｂ、操作部４６、表示部４８、制御部５０、第１乃至第３のファン５２Ａ、５２Ｂ、５２Ｃ、電源部５４などを含んで構成されている。
本実施の形態では、３色（赤、緑、青）のそれぞれに対応して３つの撮像素子２０が設けられており、プリズム４０は、撮影光学系１８から導かれた被写体像を構成する光束を３色（赤、緑、青）に分離して、各色に対応した撮像素子２０に導くものである。
信号処理部４２は、各撮像素子２０を駆動すると共に、各撮像素子２０から供給される映像信号に対して、例えば、ＣＤＳ（Correlated Double Sampling）処理を行って、Ｓ／Ｎ比を良好に保つようにするとともに、ＡＧＣ（Automatic Gain Control）処理を行って、利得を制御し、さらに、Ａ／Ｄ（Analog/Digital）変換を行って、デジタル信号とした映像データを生成するなどの一連の前処理を行い、さらに、前処理がなされた映像データを所定の圧縮方式によって圧縮（エンコード）することにより、前記の記録用の映像データを生成するものである。生成された記録用の映像データは、制御部５０、Ｉ／Ｆ部４４Ａ、４４Ｂを介して記録再生部１６に供給される。
また、信号処理部４２は、前記前処理がなされた映像信号をコネクタ２３を介して外部のディスプレイ装置に供給することで撮影中の映像を前記ディスプレイ装置に表示させたり、あるいは、記録再生部１６で再生され制御部５０、Ｉ／Ｆ部４４Ａ、４４Ｂを介して供給される映像データの伸張（デコード）を行い、その伸張された再生用の映像データを前記と同様にコネクタ２３を介して外部のディスプレイ装置に供給することで前記ディスプレイ装置に再生映像を表示させる。
【００１６】
Ｉ／Ｆ部４４Ａ、４４Ｂは、制御部５０と記録再生部１６との間で前記映像信号の授受やその授受にまつわる制御信号などのやり取りを行うものである。
また、Ｉ／Ｆ部４４Ａ、４４Ｂは、制御部５０とインターフェースボックス６０との間で信号の授受を行うものである。
【００１７】
操作部４６は、撮像装置１０の動作にまつわる種々の設定を行うために操作されるスイッチやボリュームなどで構成されている。
表示部４８は、撮像装置１０の動作状態を表示するディスプレイやＬＥＤランプなどで構成されている。
制御部５０は、上述した信号処理部４２、Ｉ／Ｆ部４４Ａ、４４Ｂ、操作部４６、表示部４８の制御を司るものである。
具体的には、制御部５０は、ＣＰＵ、ワーキングエリアを提供するＲＡＭ、制御プログラムなどを格納するＲＯＭ、信号処理部４２、Ｉ／Ｆ部４４Ａ、４４Ｂ、操作部４６、表示部４８との間で制御信号やデータ信号を授受するための周辺ＬＳＩなどを含むマイクロコンピュータによって構成されており、前記ＣＰＵが前記ＲＯＭの制御プログラムを実行することによって種々の制御動作を実行する。
【００１８】
電源部５４は、不図示の外部電源からコネクタ２３を介して供給される電力に基づいて生成した電力を、撮像素子２０、信号処理部４２、Ｉ／Ｆ部４４Ａ、４４Ｂ、操作部４６、表示部４８に供給することで、それら各部を動作させるものである。
【００１９】
インターフェースボックス６０のインターフェース部７２は、Ｉ／Ｆ部４４Ａ、４４Ｂを介して制御部５０および信号処理部４２との間で信号の授受を行うとともに、第１、第２音声信号入力コネクタ６８Ａ、６８Ｂ、第１、第２デジタル映像信号出力端子６８Ｃ、６８Ｄを介して外部機器２との間で信号の授受を行うものである。
第１、第２音声信号入力コネクタ６８Ａ、６８Ｂは、外部のマイクロフォンや音声出力を行う外部の電子機器からなる外部機器２に接続されることで、マイクロフォンあるいは電子機器からの音声信号（音声データ）が入力されるものである。
すなわち、インターフェース部７２は、入力された信号を、Ｉ／Ｆ部４４Ａまたは４４Ｂの一方を介して制御部５０および信号処理部４２に供給する。制御部５０および信号処理部４２は、供給される音声信号をＩ／Ｆ部４４Ａまたは４４Ｂの他方を介して記録再生部１６に与える。
これにより、インターフェース部７２を介して供給される前記音声信号が記録再生部１６によって記録媒体に記録される。
なお、本実施の形態では、インターフェース部７２は、電源供給が必要なマイクロフォンと、電源供給が不要なマイクロフォンと、ライン出力で音声信号を供給する電子機器との３種類の外部機器２に接続可能に構成されており、第１、第２入力信号切り替え用スイッチ７０Ａ、７０Ｂの３段階の切り換え操作に応じて、前記３種類の外部機器２に対応した信号処理および電源供給のオン、オフを行うように構成されている。
【００２０】
また、第１、第２デジタル映像信号出力端子６８Ｃ、６８Ｄは、外部のモニタ装置（ディスプレイ）や外部の記録再生装置からなる外部機器２に接続されることで、デジタル映像信号をそれらモニタ装置や記録再生装置に供給するものである。
本実施の形態では、デジタル映像信号はハイビジョン規格の映像信号である。
すなわち、インターフェース部７２は、信号処理部４２または制御部５０から供給される映像信号をＩ／Ｆ部４４Ａまたは４４Ｂの一方を介して受け取り、第１、第２デジタル映像信号出力端子６８Ｃ、６８Ｄを介して前記モニタ装置や前記記録再生装置に供給する。
これにより、インターフェース部７２を介して出力されたデジタル映像信号に基づいた映像がモニタ装置（外部機器２）によって表示され、あるいは、インターフェース部７２を介して出力されたデジタル映像信号が外部の記録再生装置（外部機器２）によって記録媒体に記録される。
【００２１】
本実施の形態によれば、本体部１４の第１、第２の取り付け部２６、２８の一方に記録再生部１６を取り付けるとともに、第１、第２の取り付け部２６、２８の他方にインターフェースボックス６０を取り付けて使用すると、第１、第２の取り付け部２６、２８の一方に設けられた本体側コネクタ３０Ａ、３０Ｂは記録再生部側コネクタ３２Ａ、３２Ｂに接続され、他方に設けられた本体側コネクタ３０Ａ、３０Ｂはインターフェースボックス側コネクタ６６Ａ、６６Ｂに接続される。
したがって、第１、第２の取り付け部２６、２８の何れに設けられた本体側コネクタ３０Ａ、３０Ｂも外方に露出することがなく、塵埃の付着を防止することができる。すなわち、不使用の本体側コネクタ３０Ａ、３０Ｂを覆うカバーを設けることなく、本体側コネクタ３０Ａ、３０Ｂへの塵埃の付着を防止することができる。
また、本体側コネクタ３０Ａ、３０Ｂを覆う（本体側コネクタ３０Ａ、３０Ｂに接続された）インターフェースボックス６０により本体部１４と外部機器２との間で信号の授受を行うことができ、記録再生部１６が接続されていない本体部側コネクタ３０Ａ、３０Ｂの機能を活用することができ撮影システムの付加価値を高める上で有利となる。
また、本実施の形態によれば、インターフェースボックス６０により本体部１４と外部機器２との間で信号の授受を行うことにより、記録再生部１６を用いた音声信号の記録やデジタル映像信号の外部機器２への供給を極めて簡単に行うことができ、撮影システムの付加価値を高める上で有利となる。
【００２２】
また、本実施の形態のインターフェースボックス６０によれば、不使用の本体側コネクタ３０Ａ、３０Ｂを覆うカバーを設けることなく、本体側コネクタ３０Ａ、３０Ｂへの塵埃の付着を防止することができ、同時に、本体部１４と外部機器２との間で信号の授受を行うことができ、撮影システムの付加価値を高める上で有利となる。
また、本体部１４と外部機器２との間で信号の授受を行うことにより、記録再生部１６を用いた音声信号の記録やデジタル映像信号の外部機器２への供給を極めて簡単に行うことができ、撮影システムの付加価値を高める上で有利となる。
【００２３】
（第２の実施の形態）
なお、第１の実施の形態では、インターフェースボックス６０に接続される外部機器が、前記マイクロフォン、前記電子機器、前記モニタ装置、前記記録再生装置である場合について説明したが、インターフェースボックス６０に接続される外部機器はそれらに限定されない。
図１５は第２の実施の形態の撮影システムのブロック図である。なお、以下の実施の形態では、第１の実施の形態と同様の部分、部材については同一の符号を付して説明を省略する。
第２の実施の形態では、外部機器２がリモートコントロール装置２Ａで構成されている。
この場合、リモートコントロール装置２Ａがケーブルを介して接続されるリモートコントロールコネクタ７４Ａ（外部機器接続用コネクタ）をインターフェースボックス６０（第３筐体６２）に設け、インターフェース部７２が制御部５０とリモートコントロール装置２Ａとの間でリモートコントロール信号の授受を行う。
このような構成によれば、第１の実施の形態と同様に本体側コネクタ３０Ａ、３０Ｂへの塵埃の付着を防止するとともに、記録再生部１６が接続されていない本体部側コネクタ３０Ａ、３０Ｂの機能を活用することができ撮影システムの付加価値を高める上で有利となることは無論のこと、撮影システムから離間した場所からリモートコントロール装置２Ａによって本体部１４を遠隔操作することができ、撮影システムの近傍に操作者が存在しないことが要求される撮影環境を簡単に実現することができ、撮影システムの使い勝手の向上を図る上で有利となる。
【００２４】
（第３の実施の形態）
次に第３の実施の形態について説明する。
図１６は第３の実施の形態の撮影システムのブロック図である。
第３の実施の形態では、操作スイッチ７６をインターフェースボックス６０（第３筐体６２）に設け、制御部５０がインターフェース部７２を介して検出した操作スイッチ７６の操作に応じて前記記録再生機構および信号処理部２２などの制御を行う。
このような構成によれば、第１の実施の形態と同様の効果を奏することは無論のこと、本体部１４に設けられた操作スイッチで操作できない制御を、追加して行うようにすることができ、ユーザーの利便性を向上させる上で有利となる。
【００２５】
（第４の実施の形態）
次に第４の実施の形態について説明する。
図１７は第４の実施の形態の撮影システムのブロック図である。
第３の実施の形態では、表示ランプ、あるいは、文字や画像を表示する表示デバイスなどからなる表示部７８をインターフェースボックス６０（第３筐体６２）に設け、制御部５０が記録再生機構および信号処理部２２などの動作に応じてインターフェース部７２を介して表示部７８の表示動作の制御を行う。
このような構成によれば、第１の実施の形態と同様の効果を奏することは無論のこと、表示部７８の表示により、ユーザーに記録再生機構および信号処理部２２などの動作に関わる情報を提供することができ、ユーザーの利便性を向上させる上で有利となる。
【００２６】
（第５の実施の形態）
次に第５の実施の形態について説明する。
図１８は第５の実施の形態の撮影システムのブロック図である。
第５の実施の形態では、外部電源装置２Ｂをインターフェースボックス６０に接続する。
すなわち、外部電源装置２Ｂがケーブルを介して接続される外部電源入力コネクタ７４Ｂ（外部機器用コネクタ）をインターフェースボックス６０（第３筐体６２）に設け、外部電源装置２Ｂから外部電源入力コネクタ７４Ｂに供給される外部電源を、外部電源入力コネクタ７４Ｂとインターフェースボックス側コネクタ６６Ｂと本体部側コネクタ３０Ｂとを介して電源部５４に供給する（本体部１４に供給する）。
なお、前記外部電源の供給に際して、インターフェースボックス側コネクタ６６Ｂと本体部側コネクタ３０Ｂとの間に、外部電源装置２Ｂから供給される外部電源の電圧や電流の変換などを行う付加回路を設けることは任意であり、そのような付加回路がインターフェース部７２に含まれていてもよい。
このような構成によれば、第１の実施の形態と同様の効果を奏することは無論のこと、本体部１４と外部機器２との間で電源の授受を行うことができ、撮影システムの付加価値を高める上で有利となる。
また、本体部１４に設けたコネクタ２３（図３）とは別の箇所に位置する電源入力コネクタ７４Ｂを用いて外部電源装置２Ｂから電源を供給することができ、外部電源装置２Ｂのケーブルの引き回しの自由度を確保でき、使い勝手の向上を図る上で有利となる。
【００２７】
（第６の実施の形態）
次に第４の実施の形態について説明する。
図１９は第４の実施の形態の撮影システムのブロック図である。
第４の実施の形態では、インターフェースボックス６０に、バッテリー２Ｃ（外部機器）が装脱可能なバッテリー取り付け部８０と、バッテリー２Ｃの電極に接続されるバッテリー接続コネクタ７４Ｃ（外部機器用コネクタ）とを設ける。
そして、バッテリー取り付け部８０に装着されたバッテリー２Ｃから供給される電源をバッテリー接続コネクタ７４Ｃとインターフェースボックス側コネクタ６６Ｂと本体部側コネクタ３０Ｂとを介して電源部５４に供給する（本体部１４に供給する）。
なお、バッテリー２Ｃの電源の供給に際して、インターフェースボックス側コネクタ６６Ｂと本体部側コネクタ３０Ｂとの間に、バッテリー２Ｃから供給される電源の電圧や電流の変換などを行う付加回路やバッテリーに設けられた通信部と通信を行う通信回路などを設けることは任意であり、そのような付加回路や通信回路がインターフェース部７２に含まれていてもよい。
このような構成によれば、第１の実施の形態と同様の効果を奏することは無論のこと、本体部１４とバッテリー２Ｃとの間で電源の授受を行うことができ、撮影システムの付加価値を高める上で有利となる。
また、ケーブルを用いることなく、バッテリー２Ｃから電源を本体部１４に供給することができ使い勝手の向上を図る上で有利となる。
【図面の簡単な説明】
【００２８】
【図１】第１の実施の形態の撮影システムの撮像装置１０の右側面図である。
【図２】撮像装置１０の左側面図である。
【図３】撮像装置１０の本体部１４の左側面図である。
【図４】図３のＡ矢視図である。
【図５】図３のＢ矢視図である。
【図６】図３のＣ矢視図である。
【図７】撮影システムの構成を示すブロック図である。
【図８】インターフェースボックス６０の斜視図である。
【図９】インターフェースボックス６０の斜視図である。
【図１０】図８のＡ矢視図である。
【図１１】インターフェースボックス６０の正面図である。
【図１２】図１１のＢ矢視図である。
【図１３】図１１のＣ矢視図である。
【図１４】図１２のＤ矢視図である。
【図１５】第２の実施の形態の撮影システムのブロック図である。
【図１６】第３の実施の形態の撮影システムのブロック図である。
【図１７】第４の実施の形態の撮影システムのブロック図である。
【図１８】第５の実施の形態の撮影システムのブロック図である。
【図１９】第６の実施の形態の撮影システムのブロック図である。
【符号の説明】
【００２９】
１４……本体部、１６……記録再生部、１６Ａ……第２筐体、１６Ｂ……記録再生部側取り付け部、２２……第１筐体、２２……信号処理部、２６……第１取り付け部、２８……第２取り付け部、３０Ａ、３０Ｂ……本体部側コネクタ、３２Ａ、３２Ｂ……記録再生部側コネクタ、６０……インターフェースボックス、６２……第３筐体、６４……インターフェースボックス側取り付け部、６６Ａ、６６Ｂ……インターフェースボックス側コネクタ。
【図１】
2008124871.tif 000003
【図２】
2008124871.tif 000004
【図３】
2008124871.tif 000005
【図４】
2008124871.tif 000006
【図５】
2008124871.tif 000007
【図６】
2008124871.tif 000008
【図７】
2008124871.tif 000009
【図８】
2008124871.tif 000010
【図９】
2008124871.tif 000011
【図１０】
2008124871.tif 000012
【図１１】
2008124871.tif 000013
【図１２】
2008124871.tif 000014
【図１３】
2008124871.tif 000015
【図１４】
2008124871.tif 000016
【図１５】
2008124871.tif 000017
【図１６】
2008124871.tif 000018
【図１７】
2008124871.tif 000019
【図１８】
2008124871.tif 000020
【図１９】
2008124871.tif 000021
【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
撮影を行い映像データを生成する本体部と、前記映像データを記録再生する記録再生部と、前記本体部と外部機器との間で信号および／または電源の授受を行うインターフェースボックスとを備え、
前記本体部は、
向きの異なる複数の外面を有する第１筐体を備え、
前記第１筐体の異なる２つの外面にそれぞれ本体部側コネクタを備える第１取り付け部と第２取り付け部が設けられ、
前記記録再生部は、
外装を構成する第２筐体を備え、
前記第２筐体に、前記第１、第２取り付け部の双方に取り付け可能な記録再生部側取り付け部が設けられ、
前記記録再生部側取り付け部に、前記本体部側コネクタに接続可能な記録再生部側コネクタが設けられ、
前記インターフェースボックスは、
外装を構成する第３筐体を備え、
前記第３筐体に、前記第１、第２取り付け部の双方に取り付け可能なインターフェースボックス側取り付け部が設けられ、
前記インターフェースボックス側取り付け部に、前記本体部側コネクタに接続可能なインターフェースボックス側コネクタが設けられている、
ことを特徴とする撮影システム。
【請求項２】
前記インターフェースボックスは、前記外部機器に接続される外部機器接続用コネクタを有し、
前記本体部と前記外部機器との間での信号および／または電源の授受は、前記本体部側コネクタおよび前記インターフェースボックス側コネクタ並びに前記外部機器接続用コネクタを介してなされる、
ことを特徴とする請求項１記載の撮影システム。
【請求項３】
前記第１筐体に、記録用の映像データを生成する信号処理部が設けられ、
前記第２筐体に、前記信号処理部から供給される前記記録用の映像データを記録媒体に対して記録し、前記記録媒体から前記映像データを再生する記録再生機構と、前記記録再生機構の制御を行う制御部が設けられ、
前記第３筐体に、前記本体部と外部機器との間で信号の授受を行うインターフェース部が設けられ、
前記インターフェース部によって前記本体部と前記外部機器との間で授受される信号は、前記外部機器から供給される音声データを含み、
前記制御部は、前記インターフェース部を介して前記外部機器から供給される音声データを前記記録再生機構によって前記記録媒体に記録させる、
ことを特徴とする請求項１記載の撮影システム。
【請求項４】
前記第１筐体に、記録用の映像データを生成する信号処理部が設けられ、
前記第２筐体に、前記信号処理部から供給される前記記録用の映像データを記録媒体に対して記録し、前記記録媒体から前記映像データを再生する記録再生機構と、前記記録再生機構の制御を行う制御部が設けられ、
前記第３筐体に、前記本体部と外部機器との間で信号の授受を行うインターフェース部が設けられ、
前記インターフェース部によって前記本体部と前記外部機器との間で授受される信号は、前記記録再生機構によって前記記録媒体から再生された前記映像データを含み、
前記制御部は、前記記録再生機構によって前記記録媒体から再生された前記映像データを前記インターフェース部を介して前記外部機器に供給させる、
ことを特徴とする請求項１記載の撮影システム。
【請求項５】
前記第１筐体に、記録用の映像データを生成する信号処理部が設けられ、
前記第２筐体に、前記信号処理部から供給される前記記録用の映像データを記録媒体に対して記録し、前記記録媒体から前記映像データを再生する記録再生機構と、被写体像を撮像する撮像素子と、前記信号処理部の制御を行う制御部とが設けられ、
前記第３筐体に、前記本体部と外部機器との間で信号の授受を行うインターフェース部が設けられ、
前記信号処理部は、前記撮像素子から供給される映像信号に前処理を行って映像データを生成し、前記前処理がなされた映像データをエンコードすることで前記記録用の映像データを生成し、
前記インターフェース部によって前記本体部と前記外部機器との間で授受される信号は、前記信号処理部によって前記前処理がなされた映像データを含み、
前記制御部は、前記前処理がなされた映像データを前記インターフェース部を介して前記外部機器に供給する、
ことを特徴とする請求項１記載の撮影システム。
【請求項６】
前記第１筐体に、撮影光学系を収容するレンズ鏡筒が取着されるとともに、前記撮影光学系によって導かれた被写体像を撮像して映像信号を生成する撮像素子と、前記映像信号から記録用の映像データを生成する信号処理部が設けられ、
前記第２筐体に、前記信号処理部から供給される前記記録用の映像データを記録媒体に対して記録し、前記記録媒体から前記映像データを再生する記録再生機構が設けられている、
ことを特徴とする請求項１記載の撮影システム。
【請求項７】
前記第１筐体に、記録用の映像データを生成する信号処理部が設けられ、
前記第２筐体に、前記信号処理部から供給される前記記録用の映像データを記録媒体に対して記録し、前記記録媒体から前記映像データを再生する記録再生機構と、前記記録再生機構および前記信号処理部の制御を行う制御部とが設けられ、
前記第３筐体に、前記本体部と外部機器との間で信号の授受を行うインターフェース部が設けられ、
前記インターフェース部によって前記本体部と前記外部機器との間で授受される信号は、前記インターフェース部を介して前記制御部と前記外部機器との間で授受される信号であり、
前記外部機器はリモートコントロール装置であり、
前記制御部は、前記リモートコントロール装置から供給される制御信号に基づいて、前記記録再生機構および前記信号処理部の制御を行う、
ことを特徴とする請求項１記載の撮影システム。
【請求項８】
前記第１筐体に、記録用の映像データを生成する信号処理部が設けられ、
前記第２筐体に、前記信号処理部から供給される前記記録用の映像データを記録媒体に対して記録し、前記記録媒体から前記映像データを再生する記録再生機構と、前記記録再生機構および前記信号処理部の制御を行う制御部とが設けられ、
前記第３筐体に、前記本体部と外部機器との間で信号の授受を行うインターフェース部と、前記インターフェース部に接続された操作スイッチが設けられ、
前記制御部は、前記インターフェース部を介して検出した前記操作スイッチの操作に応じて前記記録再生機構および前記信号処理部の制御を行う、
ことを特徴とする請求項１記載の撮影システム。
【請求項９】
前記第１筐体に、記録用の映像データを生成する信号処理部が設けられ、
前記第２筐体に、前記信号処理部から供給される前記記録用の映像データを記録媒体に対して記録し、前記記録媒体から前記映像データを再生する記録再生機構と、前記記録再生機構および前記信号処理部の制御を行う制御部とが設けられ、
前記第３筐体に、前記本体部と外部機器との間で信号の授受を行うインターフェース部と、前記インターフェース部に接続された表示部が設けられ、
前記制御部は、前記記録再生機構および前記信号処理部の動作に応じて前記インターフェース部を介して前記表示部の表示動作の制御を行う、
ことを特徴とする請求項１記載の撮影システム。
【請求項１０】
前記第３筐体に、外部電源装置に接続可能な外部電源入力コネクタが設けられ、
前記外部電源装置から供給される電源が前記外部電源入力コネクタと前記インターフェースボックス側コネクタと前記本体部側コネクタとを介して前記本体部に供給される、
ことを特徴とする請求項１記載の撮影システム。
【請求項１１】
前記第３筐体に、バッテリーが装脱可能なバッテリー取り付け部と、前記バッテリーに接続されるバッテリー接続コネクタとが設けられ、
前記バッテリー取り付け部に装着された前記バッテリーから供給される電源が前記バッテリー接続コネクタと前記インターフェースボックス側コネクタと前記本体部側コネクタとを介して前記本体部に供給される、
ことを特徴とする請求項１記載の撮影システム。
【請求項１２】
外装を構成する第３筐体を備え、
前記第３筐体に、撮像装置と外部機器との間で信号および／または電源の授受を行うインターフェース部が設けられ、
前記第３筐体に、前記撮像装置の筐体に設けられた第１、第２取り付け部の双方に取り付け可能なインターフェースボックス側取り付け部が設けられ、
前記インターフェースボックス側取り付け部に、前記第１、第２取り付け部の双方に設けられた本体部側コネクタに接続可能なインターフェースボックス側コネクタが設けられている、
ことを特徴とするインターフェースボックス。
【手続補正２】
【補正対象書類名】明細書
【補正対象項目名】０００６
【補正方法】変更
【補正の内容】
【０００６】
（第１の実施の形態）
次に本発明の実施の形態について図面を参照して説明する。
図１は本実施の形態の撮影システムにおける撮像装置１０の右側面図、図２は撮像装置１０の左側面図、図３は撮像装置１０の本体部１４の左側面図、図４は図３のＡ矢視図、図５は図３のＢ矢視図、図６は図３のＣ矢視図である。
図７は撮影システムの構成を示すブロック図である。
【手続補正３】
【補正対象書類名】明細書
【補正対象項目名】０００７
【補正方法】変更
【補正の内容】
【０００７】
本実施の形態の撮影システムは、図１に示すように、撮像装置１０と、インターフェースボックス６０とを含んで構成されている。
本実施の形態において、撮像装置１０は映画撮影用のビデオカメラである。
図１、図２に示すように、撮像装置１０は、レンズ鏡筒１２と、本体部１４と、記録再生部１６とを備えている。
なお、本明細書において左右は、撮像装置１０を前方から見た状態でいうものとし、また、光学系の光軸方向で被写体側を前方といい、撮像素子側を後方という。
レンズ鏡筒１２は、図７に示すように、撮影光学系１８を収容するものである。
撮影光学系１８は、被写体像を図７に示す撮像素子２０に導くものである。なお、撮像素子２０は、ＣＣＤ、あるいは、Ｃ−ＭＯＳセンサなど従来公知のさまざまな撮像素子が採用可能である。
【手続補正４】
【補正対象書類名】明細書
【補正対象項目名】０００８
【補正方法】変更
【補正の内容】
【０００８】
図３乃至図６に示すように、本体部１４は、外装を構成する第１筐体２２を有している。
第１筐体２２は、前方に臨む前面２２Ａ、後方に臨む後面２２Ｂ、左右側方に臨む左右の側面２２Ｃ、２２Ｄ、上方に臨む上面２２Ｅ、下方に臨む下面２２Ｆを備えている。
言い換えると、第１筐体２２は向きの異なる複数の外面を有している。
本実施の形態では、第１筐体２２は、前面２２Ａと後面２２Ｂとの間の前後方向の長さと、上面２２Ｅと下面２２Ｆとの間の上下方向の高さと、左右の側面２２Ｃ、２２Ｄの間の左右方向の幅とがほぼ同じ値となるように構成されており、したがって、第１筐体２２はほぼ立方体を呈している。
【手続補正５】
【補正対象書類名】明細書
【補正対象項目名】００１５
【補正方法】変更
【補正の内容】
【００１５】
次に、図７を参照して本体部１４およびインターフェースボックス６０の構成について詳細に説明する。
図７に示すように、本体部１４は、前記の撮像素子２０の他に、プリズム４０、信号処理部４２、Ｉ／Ｆ部４４Ａ、４４Ｂ、操作部４６、表示部４８、制御部５０、第１乃至第３のファン５２Ａ、５２Ｂ、５２Ｃ、電源部５４などを含んで構成されている。
本実施の形態では、３色（赤、緑、青）のそれぞれに対応して３つの撮像素子２０が設けられており、プリズム４０は、撮影光学系１８から導かれた被写体像を構成する光束を３色（赤、緑、青）に分離して、各色に対応した撮像素子２０に導くものである。
信号処理部４２は、各撮像素子２０を駆動すると共に、各撮像素子２０から供給される映像信号に対して、例えば、ＣＤＳ（Correlated Double Sampling）処理を行って、Ｓ／Ｎ比を良好に保つようにするとともに、ＡＧＣ（Automatic Gain Control）処理を行って、利得を制御し、さらに、Ａ／Ｄ（Analog/Digital）変換を行って、デジタル信号とした映像データを生成するなどの一連の前処理を行い、さらに、前処理がなされた映像データを所定の圧縮方式によって圧縮（エンコード）することにより、前記の記録用の映像データを生成するものである。生成された記録用の映像データは、制御部５０、Ｉ／Ｆ部４４Ａ、４４Ｂを介して記録再生部１６に供給される。
また、信号処理部４２は、前記前処理がなされた映像信号をコネクタ２３を介して外部のディスプレイ装置に供給することで撮影中の映像を前記ディスプレイ装置に表示させたり、あるいは、記録再生部１６で再生され制御部５０、Ｉ／Ｆ部４４Ａ、４４Ｂを介して供給される映像データの伸張（デコード）を行い、その伸張された再生用の映像データを前記と同様にコネクタ２３を介して外部のディスプレイ装置に供給することで前記ディスプレイ装置に再生映像を表示させる。
【手続補正６】
【補正対象書類名】明細書
【補正対象項目名】００２４
【補正方法】変更
【補正の内容】
【００２４】
（第３の実施の形態）
次に第３の実施の形態について説明する。
図１６は第３の実施の形態の撮影システムのブロック図である。
第３の実施の形態では、操作スイッチ７６をインターフェースボックス６０（第３筐体６２）に設け、制御部５０がインターフェース部７２を介して検出した操作スイッチ７６の操作に応じて前記記録再生機構および信号処理部４２などの制御を行う。
このような構成によれば、第１の実施の形態と同様の効果を奏することは無論のこと、本体部１４に設けられた操作スイッチで操作できない制御を、追加して行うようにすることができ、ユーザーの利便性を向上させる上で有利となる。
【手続補正７】
【補正対象書類名】明細書
【補正対象項目名】００２５
【補正方法】変更
【補正の内容】
【００２５】
（第４の実施の形態）
次に第４の実施の形態について説明する。
図１７は第４の実施の形態の撮影システムのブロック図である。
第３の実施の形態では、表示ランプ、あるいは、文字や画像を表示する表示デバイスなどからなる表示部７８をインターフェースボックス６０（第３筐体６２）に設け、制御部５０が記録再生機構および信号処理部４２などの動作に応じてインターフェース部７２を介して表示部７８の表示動作の制御を行う。
このような構成によれば、第１の実施の形態と同様の効果を奏することは無論のこと、表示部７８の表示により、ユーザーに記録再生機構および信号処理部４２などの動作に関わる情報を提供することができ、ユーザーの利便性を向上させる上で有利となる。